(57)【特許請求の範囲】
【請求項１】
アクセス回線とＩＰネットワークの間に設けられ、音声伝送装置間の通信を中継する音声伝送中継装置であって、
音声伝送装置間の呼接続処理を行う呼制御情報を中継すると共に、中継した呼制御情報から使用する回線識別情報を抽出する呼制御中継手段、
呼制御中継手段より受け取った回線識別情報を基に揺らぎ吸収バッファサイズ情報およびパケットサイズ情報を出力する回線識別情報管理制御手段、
受信したパケットを分解し、パケットのペイロード部を出力するパケット分解手段、
回線識別情報管理制御手段からの情報に基づいた揺らぎ吸収バッファサイズにて、パケット分解手段からのペイロードデータの揺らぎを吸収し平滑化した上で出力する揺らぎ吸収処理手段、
回線識別情報をパケット内に埋め込み、回線識別情報管理制御手段からの情報に基づいたパケットサイズにて揺らぎ吸収処理手段からの符号化音声データをパケットに組み立てて送出するパケット組立手段を備えたことを特徴とする音声伝送中継装置。
【請求項２】
接続されたアクセス回路とのインタフェースを行う回線インタフェース手段を備え、この回線インタフェース手段は、上記呼制御中継手段に代わり、使用する回線識別情報を出力し、
回線識別情報管理制御手段は、回線インタフェース手段より使用する回線識別情報を受け取り、この回線識別情報を基に揺らぎ吸収バッファサイズ情報およびパケットサイズ情報を出力する構成にされたことを特徴とする請求項１記載の音声伝送中継装置。
【請求項３】
入力側伝送路から入力した符号化音声データの音声符号化方式を出力側伝送路が使用する音声符号化方式に変換し、出力側伝送路に送出する符号変換手段を備えたことを特徴とする請求項１記載または請求項２記載の音声伝送中継装置。
【請求項４】
回線識別情報として、ポート番号を用いることを特徴とする請求項１乃至請求項３の何れか１項に記載の音声伝送装置。
【請求項５】
回線識別情報として、ＩＰアドレスを用いることを特徴とする請求項１乃至請求項３の何れか１項に記載の音声伝送装置。
【発明の詳細な説明】
【技術分野】
【０００１】
本発明は、音声データをＩＰ(Internet Protocol)パケット化し、インターネットなどの環境で通信する所謂ＶｏＩＰ(Voice over Internet Protocol)の音声伝送装置間の音声伝送を中継する音声伝送中継装置に関する。
【背景技術】
【０００２】
音声データをＩＰパケット化し、インターネットなどの環境で通信する所謂ＶｏＩＰ技術がある。使用するアクセス回線に応じて、それ専用のＶｏＩＰ機器が存在し、それぞれで適切なパケットサイズや揺らぎ吸収バッファサイズが設定されて利用されている。
また、携帯電話端末によりホテルや空港など公共施設に設置された無線ＬＡＮ(Local Area Network)スポットなどを利用してＩＰ電話を実現するものが特開２００６−３３４７７号公報に開示されている。
【０００３】
【特許文献１】特開２００６−３３４７７号公報
【発明の開示】
【発明が解決しようとする課題】
【０００４】
無線ＬＡＮや携帯電話用データ回線、ＰＨＳ(Personal Handyphone System)データ回線、有線回線など複数のアクセス回線を選択できるＶｏＩＰ端末との通信において、例えば、有線ＬＡＮに接続しているＶｏＩＰ端末があり、相手端末はあるアクセス回線を通じて上記有線ＬＡＮに接続している場合、上記ＶｏＩＰ端末は相手端末がどのアクセス回線を通じて自端末と通信しているかがわからず、適切なパケットサイズや揺らぎ吸収バッファサイズが選択できないと言う問題があった。
【０００５】
本発明は上記のような問題点を解決するためになされたもので、使用しているアクセス回線種別に応じた適切な設定ができ、高品質な音声通話の実現を図る事を目的とする。
【課題を解決するための手段】
【０００８】
本発明の音声伝送中継装置は、
アクセス回線とＩＰネットワークの間に設けられ、音声伝送装置間の通信を中継する音声伝送中継装置であって、
音声伝送装置間の呼接続処理を行う呼制御情報を中継すると共に、中継した呼制御情報から使用する回線識別情報を抽出する呼制御中継手段、
呼制御中継手段より受け取った回線識別情報を基に揺らぎ吸収バッファサイズ情報およびパケットサイズ情報を出力する回線識別情報管理制御手段、
受信したパケットを分解し、パケットのペイロード部を出力するパケット分解手段、
回線識別情報管理制御手段からの情報に基づいた揺らぎ吸収バッファサイズにて、パケット分解手段からのペイロードデータの揺らぎを吸収し平滑化した上で出力する揺らぎ吸収処理手段
回線識別情報をパケット内に埋め込み、回線識別情報管理制御手段からの情報に基づいたパケットサイズにて揺らぎ吸収処理手段からの符号化音声データをパケットに組み立てて送出するパケット組立手段を備える。
【発明の効果】
【００１０】
本発明の音声伝送中継装置によれば、使用する回線に応じた回線識別情報がヘッダに含まれてパケットに組み立てられ、送出された呼接続処理情報が通知され、通知された回線識別情報により揺らぎ吸収バッファサイズおよび送出するパケットサイズを決定する事で、使用回線に応じた適切な揺らぎ吸収バッファサイズおよび送出パケットサイズを設定でき、高品質な音声通話を実現できる。また、中継装置で回線およびＩＰネットワークに応じた揺らぎ吸収処理およびパケット組立処理を行う事で、ＩＰネットワークに接続されている端末では特に相手端末が使用している回線の種別を意識する事が無くなり、容易に高品質な音声通話が実現できる。
【発明を実施するための最良の形態】
【００１１】
実施の形態１．
図１は本発明の音声伝送装置の適用されるネットワーク機器構成の一実施の形態を示す図である。図１において、１Ａ及び１Ｂは本発明の音声伝送装置、２Ａおよび２Ｂは電話装置、３は有線ＬＡＮによるＩＰネットワークである。音声伝送装置１Ａは、アクセス回線ＡまたはＢまたはＣを介してＩＰネットワーク３に接続すると共に、ＩＰネットワーク３に接続されている音声伝送装置１Ｂと音声ＩＰ通信を行う。
【００１２】
図２は、図１における音声伝送装置１Ａの送信側装置の一実施の形態を示す図である。
図２において、１１は電話装置２Ａ側から入力された音声信号に対して符号化処理を行って符号化音声データを出力する音声符号化処理部、１２は使用するアクセス回線の選択を行う回線選択制御部、１３は回線選択制御部１２からの回線選択情報に基づき回線識別情報である回線選択情報としてポート番号を選択し出力する回線識別情報管理部としてのポート番号管理部、１４はポート番号管理部１３からのポート番号をヘッダに含め、音声符号化処理部１１からの音声符号化データをＩＰ／ＵＤＰ(User Datagram Protocol)／ＲＴＰ(Real-time Transport Protocol)パケットに組み立てるパケット組立部、１５は回線選択制御部１２からの回線選択情報に基づき出力する回線インタフェースを選択するセレクタ部、１６はアクセス回線Ａとのインタフェースを行う回線Ａインタフェース部、１７はアクセス回線Ｂとのインタフェースを行う回線Ｂインタフェース部、１８はアクセス回線Ｃとのインタフェースを行う回線Ｃインタフェース部である。
【００１３】
図３は、図１における音声伝送装置１Ｂの受信側装置の一実施の形態を示す図である。図３において、２１はネットワークから受信したＩＰ／ＵＤＰ／ＲＴＰパケットを分解するパケット分解部、２２はパケット分解部２１から通知される受信パケットの回線識別情報としてのポート番号を基に相手端末（送信側の音声伝送装置１Ａ）が使用しているアクセス回線種別を判断し、揺らぎ吸収バッファ部２３にそのアクセス回線種別に応じた揺らぎ吸収バッファサイズ情報を通知する回線識別情報管理制御部としてのポート番号管理制御部、２３はポートポート番号管理制御部２２からの揺らぎ吸収バッファサイズ情報を基にパケット分解部２１からの符号化音声データの揺らぎ吸収を行う揺らぎ吸収バッファ部、２４は揺らぎ吸収バッファ部２３からの符号化音声データを復号する音声復号処理部、２５はＩＰネットワーク３とインタフェースするネットワークインタフェース部である。
【００１４】
次に動作について説明する。図２において、送信側音声伝送装置１Ａの回線選択制御部１２は、回線の輻輳状況や電波状況、そのほかの理由によりＩＰネットワーク３へのアクセス回線としてアクセス回線Ａを選択したとする。回線選択制御部１２は選択したアクセス回線がアクセス回線Ａである事を示す回線選択情報をポート番号管理部１３およびセレクタ１５に伝える。使用するアクセス回線がアクセス回線Ａであることを回線選択制御部１２から回線選択情報にて知らされたポート番号管理部１３ではアクセス回線Ａを使用している事を示すポート番号を選択し、パケット組立部１４にそのポート番号情報を通知する。
【００１５】
音声符号化処理部１１に入力された電話装置２Ａからの音声信号は音声符号化処理をなされ、符号化音声データとしてパケット組立部１４に出力される。パケット組立部１４では入力された符号化音声データを、ポート番号管理部１３から通知されたポート番号をヘッダ内に含めてＩＰ／ＵＤＰ／ＲＴＰパケットに組み立ててセレクタ１５に出力する。セレクタ１５は、回線選択制御部１２からの回線選択情報に基づきパケット組立部１４からのＩＰ／ＵＤＰ／ＲＴＰパケットを回線Ａインタフェース部１６に出力する。回線Ａインタフェース部１６はセレクタ１５から入力されたＩＰ／ＵＤＰ／ＲＴＰパケットを、アクセス回線Ａを使用してＩＰネットワーク３に向かって出力する。
【００１６】
アクセス回線Ｂを使用する場合には、回線選択制御部１２からアクセス回線Ｂを選択した事を示す回線選択情報がポート番号管理部１３およびセレクタ１５に伝えられる。使用するアクセス回線がアクセス回線Ｂであることを回線選択制御部１２から回線選択情報にて知らされたポート番号管理部１３ではアクセス回線Ｂを使用している事を示すポート番号を選択し、パケット組立部１４にそのポート番号情報を通知する。
【００１７】
音声符号化処理部１１に入力された電話装置２Ａからの音声信号は音声符号化処理がなされ、符号化音声データとしてパケット組立部１４に出力される。パケット組立部１４では入力された符号化音声データを、ポート番号管理部１３から通知されたポート番号をヘッダ内に含めてＩＰ／ＵＤＰ／ＲＴＰパケットに組み立ててセレクタ１５に出力する。セレクタ１５は、回線選択制御部１２からの回線選択情報に基づきパケット組立部１４からのＩＰ／ＵＤＰ／ＲＴＰパケットを回線Ｂインタフェース部１７に出力する。回線Ｂインタフェース部１７はセレクタ１５から入力されたＩＰ／ＵＤＰ／ＲＴＰパケットを、アクセス回線Ｂを使用してＩＰネットワーク３に向かって出力する。
【００１８】
同様に、アクセス回線Ｃを使用する場合には、回線選択制御部１２からアクセス回線Ｃを選択した事を示す回線選択情報がポート番号管理部１３およびセレクタ１５に伝えられる。使用するアクセス回線がアクセス回線Ｃであることを回線選択制御部１２から回線選択情報にて知らされたポート番号管理部１３ではアクセス回線Ｃを使用している事を示すポート番号を選択し、パケット組立部１４にそのポート番号情報を通知する。
【００１９】
音声符号化処理部１１に電話装置２Ａから入力された音声信号は音声符号化処理をなされ、符号化音声データとしてパケット組立部１４に出力される。パケット組立部１４では入力された符号化音声データを、ポート番号管理部１３から通知されたポート番号をヘッダ内に含めてＩＰ／ＵＤＰ／ＲＴＰパケットに組み立ててセレクタ１５に出力する。セレクタ１５は、回線選択制御部１２からの回線選択情報に基づきパケット組立部１４からのＩＰ／ＵＤＰ／ＲＴＰパケットを回線Ｃインタフェース部１８に出力する。回線Ｃインタフェース部１８はセレクタ１５から入力されたＩＰ／ＵＤＰ／ＲＴＰパケットを、アクセス回線Ｃを使用してＩＰネットワーク３に向かって出力する。
【００２０】
図３において、受信側音声伝送装置１Ｂは、ネットワークインタフェース部２５を介してＩＰネットワーク３から受信したＩＰ／ＵＤＰ／ＲＴＰパケットをパケット分解部２１にて分解し、符号化音声データは揺らぎ吸収バッファ部２３に、ポート番号情報はポート番号管理制御部２２に出力する。ポート番号管理制御部２２は、パケット分解部２１より入力したポート番号情報により相手端末（送信側の音声伝送装置１Ａ）が使用しているアクセス回線の種別を認識し、それに応じた揺らぎ吸収バッファサイズ情報を揺らぎ吸収バッファ部２３に出力する。揺らぎ吸収バッファ部２３では、ポート番号管理制御部２２から通知された揺らぎ吸収バッファサイズ情報に基づき、パケット分解部２１から入力した音声符号化データの到着遅延揺らぎを吸収し、揺らぎの無い音声符号化データを音声復号処理部２４に出力する。音声復号処理部２４では入力された音声符号化データの復号処理を行い、音声信号を出力する。
【００２１】
以上のように、本実施の形態によれば、使用するアクセス回線に応じたポート番号をヘッダに含めてＩＰ／ＵＤＰ／ＲＴＰパケットに組み立てて送出し、受信したＩＰ／ＵＤＰ／ＲＴＰパケットのポート番号により揺らぎ吸収バッファサイズを決定する事で、アクセス回線に応じた適切な揺らぎ吸収バッファサイズを設定でき、高品質な音声通話を実現できる。
【００２２】
また、アクセス回線種別を表すのにポート番号を用いるのではなく、ＩＰアドレスを用いる事でも、同様の効果が得られる。
【００２３】
また、音声符号化処理部１１および音声復号処理部２４は、本発明の音声伝送装置の外に置くことでも良い。
また、ＩＰ／ＵＤＰ／ＲＴＰパケットでは無く、他のパケット方式を使う事でも良い。
【００２４】
実施の形態２．
図４は本発明の音声伝送装置の実施の形態２を示し、図１における音声伝送装置１Ｂの送受信装置の一実施の形態を示す図である。図４において、上記実施の形態１と同一もしくは相当部分は同一符号で示し、説明を省略する。２２ａはパケット分解部２１から通知される受信パケットのポート番号を基に相手端末が使用しているアクセス回線種別を判断し、揺らぎ吸収バッファ部２３にそのアクセス回線種別に応じた揺らぎ吸収バッファサイズ情報を通知すると共に、パケット組立部３２にそのアクセス回線種別に応じたパケットサイズ情報を通知するポート番号管理制御部、３１は電話装置２Ｂ側から入力された音声信号に対して符号化処理を行って符号化音声データを出力する音声符号化処理部、３２は音声符号化処理部３１からの音声符号化データをポート番号管理制御部２２ａからのパケットサイズ情報に応じてＩＰ／ＵＤＰ／ＲＴＰパケットに組み立てて出力するパケット組立部である。
【００２５】
次に動作について説明する。実施の形態１と同様に、図２において、送信側音声伝送装置１Ａの回線選択制御部１２が、回線の輻輳状況や電波状況、そのほかの理由により、ＩＰネットワーク３へのアクセス回線としてアクセス回線Ａを選択したとする。回線選択制御部１２は選択したアクセス回線がアクセス回線Ａである事を示す回線選択情報をポート番号管理部１３およびセレクタ１５に伝える。使用するアクセス回線がアクセス回線Ａであることを回線選択制御部１２から回線選択情報にて知らされたポート番号管理部１３ではアクセス回線Ａを使用している事を示すポート番号を選択し、パケット組立部１４にそのポート番号情報を通知する。
【００２６】
音声符号化処理部１１に入力された電話装置２Ａからの音声信号は音声符号化処理をなされ、符号化音声データとしてパケット組立部１４に出力される。パケット組立部１４では入力された符号化音声データを、ポート番号管理部１３から通知されたポート番号をヘッダ内に含めてＩＰ／ＵＤＰ／ＲＴＰパケットに組み立てて、セレクタ１５に出力する。セレクタ１５は、回線選択制御部１２からの回線選択情報に基づきパケット組立部１４からのＩＰ／ＵＤＰ／ＲＴＰパケットを回線Ａインタフェース部１６に出力する。回線Ａインタフェース部１６はセレクタ１５から入力されたＩＰ／ＵＤＰ／ＲＴＰパケットを、アクセス回線Ａを使用してＩＰネットワーク３に向かって出力する。
【００２７】
アクセス回線Ｂを使用する場合には、回線選択制御部１２からアクセス回線Ｂを選択した事を示す回線選択情報がポート番号管理部１３およびセレクタ１５に伝えられる。使用するアクセス回線がアクセス回線Ｂであることを回線選択制御部１２から回線選択情報にて知らされたポート番号管理部１３ではアクセス回線Ｂを使用している事を示すポート番号を選択し、パケット組立部１４にそのポート番号情報を通知する。音声符号化処理部１１に入力された電話装置２Ａからの音声信号は音声符号化処理をなされ、符号化音声データとしてパケット組立部１４に出力される。パケット組立部１４では入力された符号化音声データを、ポート番号管理部１３から通知されたポート番号をヘッダ内に含めてＩＰ／ＵＤＰ／ＲＴＰパケットに組み立てて、セレクタ１５に出力する。セレクタ１５は、回線選択制御部１２からの回線選択情報に基づきパケット組立部１４からのＩＰ／ＵＤＰ／ＲＴＰパケットを回線Ｂインタフェース部１７に出力する。回線Ｂインタフェース部１７はセレクタ１５から入力されたＩＰ／ＵＤＰ／ＲＴＰパケットを、アクセス回線Ｂを使用してＩＰネットワーク３に向かって出力する。
【００２８】
同様に、アクセス回線Ｃを使用する場合には、回線選択制御部１２からアクセス回線Ｃを選択した事を示す回線選択情報がポート番号管理部１３およびセレクタ１５に伝えられる。使用するアクセス回線がアクセス回線Ｃであることを回線選択制御部１２から回線選択情報にて知らされたポート番号管理部１３ではアクセス回線Ｃを使用している事を示すポート番号を選択し、パケット組立部１４にそのポート番号情報を通知する。音声符号化処理部１１に入力された電話装置２Ａからの音声信号は音声符号化処理をなされ、符号化音声データとしてパケット組立部１４に出力される。パケット組立部１４では入力された符号化音声データを、ポート番号管理部１３から通知されたポート番号をヘッダ内に含めてＩＰ／ＵＤＰ／ＲＴＰパケットに組み立てて、セレクタ１５に出力する。セレクタ１５は、回線選択制御部１２からの回線選択情報に基づきパケット組立部１４からのＩＰ／ＵＤＰ／ＲＴＰパケットを回線Ｃインタフェース部１８に出力する。回線Ｃインタフェース部１８はセレクタ１５から入力されたＩＰ／ＵＤＰ／ＲＴＰパケットを、アクセス回線Ｃを使用してＩＰネットワーク３に向かって出力する。
【００２９】
受信側音声伝送装置１Ｂでは、図４において、ネットワークインタフェース部２５を介してＩＰネットワーク３から受信したＩＰ／ＵＤＰ／ＲＴＰパケットはパケット分解部２１にて分解され、符号化音声データは揺らぎ吸収バッファ部２３に、ポート番号情報はポート番号管理制御部２２ａに出力される。ポート番号管理制御部２２ａは、パケット分解部２１より入力したポート番号情報により相手端末が使用しているアクセス回線の種別を認識し、それに応じた揺らぎ吸収バッファサイズ情報を揺らぎ吸収バッファ部２３に出力すると共に、そのアクセス回線種別に応じたパケットサイズ情報をパケット組立部３２に出力する。
揺らぎ吸収バッファ部２３では、ポート番号管理制御部２２ａから通知された揺らぎ吸収バッファサイズ情報に基づき、パケット分解部２１から入力した音声符号化データの到着遅延揺らぎを吸収し、揺らぎの無い音声符号化データを音声復号処理部２４に出力する。音声復号処理部２４では入力された音声符号化データの復号処理を行い、音声信号を出力する。
【００３０】
音声伝送装置１Ｂから音声符号化処理部３１に入力された音声信号は音声符号化処理をなされ、符号化音声データとしてパケット組立部３２に出力される。パケット組立部３２では入力された符号化音声データを、ポート番号管理制御部２２ａから通知されたパケットサイズ情報に基づいてＩＰ／ＵＤＰ／ＲＴＰパケットに組み立てて、ネットワークインタフェース部２５を介して相手端末に向かって出力する。
【００３１】
以上のように、本実施の形態によれば、使用するアクセス回線に応じたポート番号をヘッダに含めてＩＰ／ＵＤＰ／ＲＴＰパケットを組み立てて送出し、受信したＩＰ／ＵＤＰ／ＲＴＰパケットのポート番号により揺らぎ吸収バッファサイズおよび送出するパケットサイズを決定する事で、アクセス回線に応じた適切な揺らぎ吸収バッファサイズおよび送出パケットサイズを設定でき、高品質な音声通話を実現できる。
【００３２】
また、アクセス回線種別を表すのにポート番号を用いるのではなく、ＩＰアドレスを用いる事でも、同様の効果が得られる。
また、音声符号化処理部１１および音声復号処理部２４および音声符号化処理部３１は、本発明の音声伝送装置の外に置くことでも良い。
また、ＩＰ／ＵＤＰ／ＲＴＰパケットでは無く、他のパケット方式を使う事でも良い。
【００３３】
実施の形態３．
図５は本発明の音声伝送装置の適用されるネットワーク機器構成の実施の形態３を示す図である。図５において、上記実施の形態１と同一もしくは相当部分は同一符号で示し、説明を省略する。図５において、７は呼制御を司る呼制御サーバである。音声伝送装置１Ａは、アクセス回線Ａまたはアクセス回線Ｂまたはアクセス回線Ｃを介してＩＰネットワーク３に接続すると共に、ＩＰネットワーク３に接続されている呼制御サーバ７を介して音声伝送装置１Ｂと呼接続のための呼接続処理を行い、その後、音声ＩＰ通信を行う。
【００３４】
図６は本発明の音声伝送装置の実施の形態３を示す図であり、図５における音声伝送装置１Ａの送信側装置の一実施の形態を示す図である。図６において、上記実施の形態１と同一もしくは相当部分は同一符号で示し、説明を省略する。１９はポート番号管理部１３から入力された使用するポート番号情報を基に呼接続処理を行う呼制御部である。
【００３５】
図７は本発明の音声伝送装置の実施の形態３を示す図であり、図５における音声伝送装置１Ｂの送受信装置の一実施の形態を示す図である。図７において、上記実施の形態２と同一もしくは相当部分は同一符号で示し、説明を省略する。３３は相手端末との呼接続処理を行う呼制御部であり、その呼制御の中で得られた音声ＩＰ通信に用いるポート番号をポート番号管理制御部２２ａに通知する。
【００３６】
次に動作について説明する。図６において、音声伝送装置１Ａの回線選択制御部１２は、回線の輻輳状況や電波状況、そのほかの理由によりＩＰネットワーク３へのアクセス回線としてアクセス回線Ａを選択したとする。回線選択制御部１２は選択したアクセス回線がアクセス回線Ａである事を示す回線選択情報をポート番号管理部１３およびセレクタ１５に伝える。使用するアクセス回線がアクセス回線Ａであることを回線選択制御部１２から回線選択情報にて知らされたポート番号管理部１３ではアクセス回線Ａを使用している事を示すポート番号を選択し、パケット組立部１４および呼制御部１９にそのポート番号情報を通知する。セレクタ１５は、回線選択制御部１２からの回線選択情報に基づき呼制御部１９からの呼制御用パケットを回線Ａインタフェース部１６に出力する。呼制御部１９は回線Ａインタフェース部１６を介した相手端末（音声伝送装置１Ｂ）との呼接続のための情報の授受の中で、ポート番号管理部１３から通知されたポート番号を相手端末（音声伝送装置１Ｂ）に通知する。
【００３７】
音声符号化処理部１１に入力された音声伝送装置１Ａからの音声信号は音声符号化処理をなされ、符号化音声データとしてパケット組立部１４に出力される。パケット組立部１４では入力された符号化音声データを、ポート番号管理部１３から通知されたポート番号をヘッダに含めてＩＰ／ＵＤＰ／ＲＴＰパケットに組み立ててセレクタ１５に出力する。セレクタ１５は、回線選択制御部１２からの回線選択情報に基づきパケット組立部１４からのＩＰ／ＵＤＰ／ＲＴＰパケットも回線Ａインタフェース部１６に出力する。回線Ａインタフェース部１６はセレクタ１５から入力されたパケットを、アクセス回線Ａを使用してＩＰネットワーク３に向かって出力する。
【００３８】
アクセス回線Ｂを使用する場合には、回線選択制御部１２からアクセス回線Ｂを選択した事を示す回線選択情報がポート番号管理部１３およびセレクタ１５に伝えられる。使用するアクセス回線がアクセス回線Ｂであることを回線選択制御部１２から回線選択情報にて知らされたポート番号管理部１３ではアクセス回線Ｂを使用している事を示すポート番号を選択し、パケット組立部１４および呼制御部１９にそのポート番号情報を通知する。セレクタ１５は、回線選択制御部１２からの回線選択情報に基づきパケット組立部１４からのＩＰ／ＵＤＰ／ＲＴＰパケットおよび呼制御部１９からの呼制御用パケットを回線Ｂインタフェース部１７に出力する。呼制御部１９は回線Ｂインタフェース部１７を介した相手端末（音声伝送装置１Ｂ）との呼接続のための情報の授受の中で、ポート番号管理部１３から通知されたポート番号を相手端末（音声伝送装置１Ｂ）に通知する。
【００３９】
音声符号化処理部１１に入力された音声伝送装置１Ａからの音声信号は音声符号化処理をなされ、符号化音声データとしてパケット組立部１４に出力される。パケット組立部１４では入力された符号化音声データを、ポート番号管理部１３から通知されたポート番号をヘッダに含めてＩＰ／ＵＤＰ／ＲＴＰパケットに組み立ててセレクタ１５に出力する。セレクタ１５は、回線選択制御部１２からの回線選択情報に基づきパケット組立部１４からのＩＰ／ＵＤＰ／ＲＴＰパケットも回線Ｂインタフェース部１７に出力する。回線Ｂインタフェース部１７はセレクタ１５から入力されたパケットを、アクセス回線Ｂを使用してＩＰネットワーク３に向かって出力する。
【００４０】
同様に、アクセス回線Ｃを使用する場合には、回線選択制御部１２からアクセス回線Ｃを選択した事を示す回線選択情報がポート番号管理部１３およびセレクタ１５に伝えられる。使用するアクセス回線がアクセス回線Ｃであることを回線選択制御部１２から回線選択情報にて知らされたポート番号管理部１３ではアクセス回線Ｃを使用している事を示すポート番号を選択し、パケット組立部１４および呼制御部１９にそのポート番号情報を通知する。セレクタ１５は、回線選択制御部１２からの回線選択情報に基づきパケット組立部１４からのＩＰ／ＵＤＰ／ＲＴＰパケットおよび呼制御部１９からの呼制御用パケットを回線Ｃインタフェース部１８に出力する。呼制御部１９は回線Ｃインタフェース部１８を介した相手端末との呼接続のための情報の授受の中で、ポート番号管理部１３から通知されたポート番号を相手端末に通知する。
【００４１】
音声符号化処理部１１に入力された音声伝送装置１Ａからの音声信号は音声符号化処理をなされ、符号化音声データとしてパケット組立部１４に出力される。パケット組立部１４では入力された符号化音声データを、ポート番号管理部１３から通知されたポート番号をヘッダに含めてＩＰ／ＵＤＰ／ＲＴＰパケットに組み立ててセレクタ１５に出力する。セレクタ１５は、回線選択制御部１２からの回線選択情報に基づきパケット組立部１４からのＩＰ／ＵＤＰ／ＲＴＰパケットも回線Ｃインタフェース部１８に出力する。回線Ｃインタフェース部１８はセレクタ１５から入力されたパケットを、アクセス回線Ｃを使用してＩＰネットワーク３に向かって出力する。
【００４２】
受信側音声伝送装置１Ｂでは、図７において、ネットワークインタフェース部２５を介してＩＰネットワーク３から受信した呼制御用パケットは呼制御部３３にて処理され、音声ＩＰ通信に使用するポート番号情報をポート番号管理制御部２２ａに出力される。ネットワークインタフェース部２５を介してＩＰネットワーク３から受信したＩＰ／ＵＤＰ／ＲＴＰパケットはパケット分解部２１にて分解され、符号化音声データは揺らぎ吸収バッファ部２３に出力される。ポート番号管理制御部２２ａは、呼制御部３３より入力したポート番号情報により相手端末（音声伝送装置１Ａ）が使用しているアクセス回線の種別を認識し、それに応じた揺らぎ吸収バッファサイズ情報を揺らぎ吸収バッファ部２３に出力すると共に、そのアクセス回線種別に応じたパケットサイズ情報をパケット組立部３２に出力する。
揺らぎ吸収バッファ部２３では、ポート管理制御部２２ａから通知された揺らぎ吸収バッファサイズ情報に基づき、パケット分解部２１から入力した音声符号化データの到着遅延揺らぎを吸収し、揺らぎの無い音声符号化データを音声復号処理部２４に出力する。音声復号処理部２４では入力された音声符号化データの復号処理を行い、音声信号を出力する。
【００４３】
音声符号化処理部３１に入力された音声伝送装置１Ｂからの音声信号は音声符号化処理をなされ、符号化音声データとしてパケット組立部３２に出力される。パケット組立部３２では入力された符号化音声データを、ポート番号管理制御部２２ａから通知されたパケットサイズ情報に基づいてＩＰ／ＵＤＰ／ＲＴＰパケットに組み立てて、ネットワークインタフェース部２５を介して相手端末（音声伝送装置１Ａ）に向かって出力する。
【００４４】
以上のように、本実施の形態によれば、使用するアクセス回線に応じたポート番号をヘッダに含めてＩＰ／ＵＤＰ／ＲＴＰパケットに組み立てて送出する事を呼接続処理にて相手端末に通知し、通知を受けた相手側の端末では通知されたポート番号により揺らぎ吸収バッファサイズおよび送出するパケットサイズを決定する事で、アクセス回線に応じた適切な揺らぎ吸収バッファサイズおよび送出パケットサイズを設定でき、高品質な音声通話を実現できる。
【００４５】
また、アクセス回線種別を表すのにポート番号を用いるのではなく、ＩＰアドレスを用いる事でも、同様の効果が得られる。
また、音声符号化処理部１１および音声復号処理部２４および音声符号化処理部３１は、本発明の音声伝送装置の外に置くことでも良い。
また、ＩＰ／ＵＤＰ／ＲＴＰパケットでは無く、他のパケット方式を使う事でも良い。
【００４６】
実施の形態４．
図８は本発明の音声伝送装置の適用されるネットワーク機器構成の実施の形態４を示す図である。図８において、上記実施の形態３と同一もしくは相当部分は同一符号で示し、説明を省略する。図８において、８ａはアクセス回線ＡとＩＰネットワーク３との中継を行う音声伝送中継装置、同様に、８ｂはアクセス回線ＢとＩＰネットワーク３との中継を行う音声伝送中継装置、８ｃはアクセス回線ＣとＩＰネットワーク３との中継を行う音声伝送中継装置である。音声伝送装置１Ａは、アクセス回線Ａまたはアクセス回線Ｂまたはアクセス回線Ｃを介して、且つ、音声伝送中継装置８ａまたは音声伝送中継装置８ｂまたは音声伝送中継装置８ｃを介してＩＰネットワーク３に接続すると共に、ＩＰネットワーク３に接続されている呼制御サーバ７を介して音声伝送装置１Ｂと呼接続のための呼接続処理を行い、その後、音声ＩＰ通信を行う。
【００４７】
本実施の形態における送信側の音声伝送装置１Ａの構成は図６に示す上記実施の形態３における送信側の音声伝送装置１Ａと同じであり、構成の説明は省略する。
【００４８】
図９は本発明の音声伝送装置の実施の形態４を示す図であり、図８における音声伝送中継装置８ａまたは音声伝送中継装置８ｂまたは音声伝送中継装置８ｃの一実施の形態を示す図である。図９において、上記各実施の形態と同一もしくは相当部分は同一符号で示し、説明を省略する。３４は呼接続処理を行う呼制御パケットの中継を行う呼制御中継部であり、その呼制御の中で得られた音声ＩＰ通信に用いるポート番号をポート番号管理制御部２２ａに通知する。４１はアクセス回線とインタフェースするアクセス回線インタフェース部であり、４２はＩＰネットワーク３とインタフェースするネットワークインタフェース部である。
【００４９】
パケット分解部２１ａ、２１ｂはＩＰ／ＵＤＰ／ＲＴＰパケットを分解する。揺らぎ吸収バッファ部２３ａ、２３ｂは、ポート番号管理制御部２２ａから通知された揺らぎ吸収バッファサイズ情報に基づき、パケット分解部２１ａ、２１ｂから入力した音声符号化データの到着遅延揺らぎを吸収し、揺らぎの無い音声符号化データを出力する。パケット組立部３２ａ、３２ｂでは入力された符号化音声データを、ポート番号管理制御部２２ａから通知されたパケットサイズ情報に基づいてＩＰ／ＵＤＰ／ＲＴＰパケットに組み立てて、アクセス回線インタフェース部４１、ネットワークインタフェース部４２から出力する。
【００５０】
図１０は本発明の音声伝送装置の実施の形態４を示す図であり、図８における音声伝送装置１Ｂの送受信装置の一実施の形態を示す図である。図１０において、上記実施の形態３と同一もしくは相当部分は同一符号で示し、説明を省略する。３５は相手端末との呼接続処理を行う呼制御部である。
【００５１】
次に動作について説明する。図６において、音声伝送装置１Ａの回線選択制御部１２は、回線の輻輳状況や電波状況、そのほかの理由により、ＩＰネットワーク３へのアクセス回線としてアクセス回線Ａを選択したとする。回線選択制御部１２は選択したアクセス回線がアクセス回線Ａである事を示す回線選択情報をポート番号管理部１３およびセレクタ１５に伝える。使用するアクセス回線がアクセス回線Ａであることを回線選択制御部１２から回線選択情報にて知らされたポート番号管理部１３ではアクセス回線Ａを使用している事を示すポート番号を選択し、パケット組立部１４および呼制御部１９にそのポート番号情報を通知する。
【００５２】
セレクタ１５は、回線選択制御部１２からの回線選択情報に基づき呼制御部１９からの呼制御用パケットを回線Ａインタフェース部１６に出力する。呼制御部１９は回線Ａインタフェース部１６を介した相手端末との呼接続のための情報の授受の中で、ポート番号管理部１３から通知されたポート番号を相手端末に通知する。
【００５３】
音声符号化処理部１１に入力された電話装置２Ａからの音声信号は音声符号化処理をなされ、符号化音声データとしてパケット組立部１４に出力される。パケット組立部１４では入力された符号化音声データを、ポート番号管理部１３から通知されたポート番号をヘッダに含めてＩＰ／ＵＤＰ／ＲＴＰパケットに組み立ててセレクタ１５に出力する。セレクタ１５は、回線選択制御部１２からの回線選択情報に基づきパケット組立部１４からのＩＰ／ＵＤＰ／ＲＴＰパケットも回線Ａインタフェース部１６に出力する。回線Ａインタフェース部１６はセレクタ１５から入力されたパケットを、アクセス回線Ａを使用して音声伝送中継装置８ａに向かって出力する。
【００５４】
アクセス回線Ｂを使用する場合には、回線選択制御部１２からアクセス回線Ｂを選択した事を示す回線選択情報がポート番号管理部１３およびセレクタ１５に伝えられる。使用するアクセス回線がアクセス回線Ｂであることを回線選択制御部１２から回線選択情報にて知らされたポート番号管理部１３ではアクセス回線Ｂを使用している事を示すポート番号を選択し、パケット組立部１４および呼制御部１９にそのポート番号情報を通知する。セレクタ１５は、回線選択制御部１２からの回線選択情報に基づきパケット組立部１４からのＩＰ／ＵＤＰ／ＲＴＰパケットおよび呼制御部１９からの呼制御用パケットを回線Ｂインタフェース部１７に出力する。呼制御部１９は回線Ｂインタフェース部１７を介した相手端末との呼接続のための情報の授受の中で、ポート番号管理部１３から通知されたポート番号を相手端末に通知する。
【００５５】
音声符号化処理部１１に入力された電話装置２Ａからの音声信号は音声符号化処理をなされ、符号化音声データとしてパケット組立部１４に出力される。パケット組立部１４では入力された符号化音声データを、ポート番号管理部１３から通知されたポート番号をヘッダに含めてＩＰ／ＵＤＰ／ＲＴＰパケットに組み立ててセレクタ１５に出力する。セレクタ１５は、回線選択制御部１２からの回線選択情報に基づきパケット組立部１４からのＩＰ／ＵＤＰ／ＲＴＰパケットも回線Ｂインタフェース部１７に出力する。回線Ｂインタフェース部１７はセレクタ１５から入力されたパケットを、アクセス回線Ｂを使用して音声伝送中継装置８ｂに向かって出力する。
【００５６】
同様に、アクセス回線Ｃを使用する場合には、回線選択制御部１２からアクセス回線Ｃを選択した事を示す回線選択情報がポート番号管理部１３およびセレクタ１５に伝えられる。使用するアクセス回線がアクセス回線Ｃであることを回線選択制御部１２から回線選択情報にて知らされたポート番号管理部１３ではアクセス回線Ｃを使用している事を示すポート番号を選択し、パケット組立部１４および呼制御部１９にそのポート番号情報を通知する。セレクタ１５は、回線選択制御部１２からの回線選択情報に基づきパケット組立部１４からのＩＰ／ＵＤＰ／ＲＴＰパケットおよび呼制御部１９からの呼制御用パケットを回線Ｃインタフェース部１８に出力する。呼制御部１９は回線Ｃインタフェース部１８を介した相手端末との呼接続のための情報の授受の中で、ポート番号管理部１３から通知されたポート番号を相手端末に通知する。
【００５７】
音声符号化処理部１１に入力された電話装置２Ａからの音声信号は音声符号化処理をなされ、符号化音声データとしてパケット組立部１４に出力される。パケット組立部１４では入力された符号化音声データを、ポート番号管理部１３から通知されたポート番号をヘッダに含めてＩＰ／ＵＤＰ／ＲＴＰパケットに組み立ててセレクタ１５に出力する。セレクタ１５は、回線選択制御部１２からの回線選択情報に基づきパケット組立部１４からのＩＰ／ＵＤＰ／ＲＴＰパケットも回線Ｃインタフェース部１８に出力する。回線Ｃインタフェース部１８はセレクタ１５から入力されたパケットを、アクセス回線Ｃを使用して音声伝送中継装置８ｃに向かって出力する。
【００５８】
音声伝送中継装置８ａは、図９において、アクセス回線から受信したパケットはアクセス回線インタフェース部４１を介してパケット分解部２１ａおよび呼制御中継部３４に入力される。呼制御用パケットは呼制御中継部３４にて中継処理されてネットワークインタフェース部４２に出力されると共に、音声ＩＰ通信に使用するポート番号情報が抽出され、そのポート番号情報がポート番号管理制御部２２ａに出力される。符号化音声データを運ぶＩＰ／ＵＤＰ／ＲＴＰパケットはパケット分解部２１ａにて分解され、符号化音声データは揺らぎ吸収バッファ部２３ａに出力される。
【００５９】
ポート番号管理制御部２２ａは、呼制御中継部３４より入力したポート番号情報によりアクセス回線を介して接続している相手端末が使用しているアクセス回線の種別を認識し、それに応じた揺らぎ吸収バッファサイズ情報を揺らぎ吸収バッファ部２３ａに出力すると共に、そのアクセス回線種別に応じたパケットサイズ情報をパケット組立部３２ｂに出力する。また、ＩＰネットワーク３に適した揺らぎ吸収バッファサイズ情報を揺らぎ吸収バッファ部２３ｂに出力すると共に、ＩＰネットワーク３に適したパケットサイズ情報をパケット組立部３２ａに出力する。揺らぎ吸収バッファ部２３ａでは、ポート番号管理制御部２２ａから通知された揺らぎ吸収バッファサイズ情報に基づき、パケット分解部２１ａから入力した音声符号化データの到着遅延揺らぎを吸収し、揺らぎの無い音声符号化データをパケット組立部３２ａに出力する。
【００６０】
パケット組立部３２ａでは入力された音声符号化データをポート番号管理制御部２２ａから通知されたパケットサイズ情報に基づいてＩＰ／ＵＤＰ／ＲＴＰパケットに組み立ててネットワークインタフェース部４２に出力する。ネットワークインタフェース部４２では呼制御中継部３４から受け取った呼制御用パケットおよびパケット組立部３２ａから受け取った音声のＩＰ／ＵＤＰ／ＲＴＰパケットをＩＰネットワーク３を介して相手端末に向かって出力する。
【００６１】
ＩＰネットワーク３から受信したパケットはネットワークインタフェース部４２を介してパケット分解部２１ｂおよび呼制御中継部３４に入力される。呼制御用パケットは呼制御中継部３４にて中継処理されてアクセス回線インタフェース部４１に出力される。符号化音声データを運ぶＩＰ／ＵＤＰ／ＲＴＰパケットはパケット分解部２１ｂにて分解され、符号化音声データは揺らぎ吸収バッファ部２３ｂに出力される。揺らぎ吸収バッファ部２３ｂでは、ポート番号管理制御部２２ａから通知された揺らぎ吸収バッファサイズ情報に基づき、パケット分解部２１ｂから入力した音声符号化データの到着遅延揺らぎを吸収し、揺らぎの無い音声符号化データをパケット組立部３２ｂに出力する。パケット組立部３２ｂでは入力された音声符号化データをポート番号管理制御部２２ａから通知されたパケットサイズ情報に基づいてＩＰ／ＵＤＰ／ＲＴＰパケットに組み立ててアクセス回線インタフェース部４１に出力する。アクセス回線インタフェース部４１では呼制御中継部３４から受け取った呼制御用パケットおよびパケット組立部３２ｂから受け取った音声のＩＰ／ＵＤＰ／ＲＴＰパケットを使用アクセス回線を介して相手端末に向かって出力する。
【００６２】
受信側の音声伝送装置１Ｂの送受信装置は、図１０において、ネットワークインタフェース部２５を介してＩＰネットワーク３から受信したＩＰ／ＵＤＰ／ＲＴＰパケットはパケット分解部２１にて分解され、符号化音声データは揺らぎ吸収バッファ部２３に出力される。揺らぎ吸収バッファ部２３では、ＩＰネットワーク３に適した揺らぎ吸収バッファサイズ情報をあらかじめ持っており、その情報に基づき、パケット分解部２１から入力した音声符号化データの到着遅延揺らぎを吸収し、揺らぎの無い音声符号化データを音声復号処理部２４に出力する。音声復号処理部２４では入力された音声符号化データの復号処理を行い、音声信号を出力する。
【００６３】
音声符号化処理部３１に入力された電話装置２Ａからの音声信号は音声符号化処理をなされ、符号化音声データとしてパケット組立部３２に出力される。パケット組立部３２ではＩＰネットワーク３に適したパケットサイズ情報をあらかじめ持っており、その情報に基づき、入力された符号化音声データをＩＰ／ＵＤＰ／ＲＴＰパケットに組み立てて、ネットワークインタフェース部２５を介して相手端末に向かって出力する。ネットワークインタフェース部２５を介してＩＰネットワーク３から受信した呼制御用パケットは呼制御部３５にて呼制御処理され、必要に応じて呼制御用パケットはネットワークインタフェース部２５を介して相手端末に向かって出力される。
【００６４】
以上のように、使用するアクセス回線に応じたポート番号をヘッダに含めてＩＰ／ＵＤＰ／ＲＴＰパケットに組み立てて送出する事を呼接続処理にて中継装置に通知し、通知を受けた中継装置では通知されたポート番号により揺らぎ吸収バッファサイズおよび送出するパケットサイズを決定する事で、アクセス回線に応じた適切な揺らぎ吸収バッファサイズおよび送出パケットサイズを設定でき、高品質な音声通話を実現できる。また、中継装置でアクセス回線およびＩＰネットワークに応じた揺らぎ吸収処理およびパケット組立処理を行う事で、ＩＰネットワークに接続されている端末では特に相手端末が使用しているアクセス回線の種別を意識する事が無くなり、容易に高品質な音声通話が実現できる。
【００６５】
また、図１１に示すように、ポート番号管理制御部２２ｂにおいて、使用しているアクセス回線を表す情報を呼制御中継部３４から得るのではなく、アクセス回線インタフェース部４１ａから得るようにする。アクセス回線Ａに接続している中継装置では、アクセス回線インタフェース部４１ａは自装置がアクセス回線Ａに接続している事を認識しており、同様に、アクセス回線Ｂあるいはアクセス回線Ｃに接続している中継装置では、それぞれのアクセス回線インタフェース部４１ａは自装置がアクセス回線Ｂあるいはアクセス回線Ｃに接続している事を認識している。このため、アクセス回線インタフェース部４１ａはポート番号管理制御部２２ｂに自装置が接続しているアクセス回線の種別を通知する事が出来る。自装置が接続しているアクセス回線の種別の通知を受けたポート番号管理制御部２２ｂでは、そのアクセス回線種別に応じた適切な揺らぎ吸収バッファサイズおよび送出パケットサイズを設定できる。このようにする事でも同様の効果が得られる。
【００６６】
また、アクセス回線Ａまたはアクセス回線Ｂまたはアクセス回線Ｃ上とＩＰネットワーク３（ここでは、アクセス回線Ａ、アクセス回線Ｂ、アクセス回線Ｃ、ＩＰネットワークを伝送路と称す）上にて使用する音声符号化方式が異なる場合もある。その場合には、図１２に示すように、音声符号化方式の変換を行う符号変換部４３ａおよび４３ｂを新たに設ける事で、アクセス回線側から受信した符号化音声データをＩＰネットワーク３側で使用している符号化音声データに変換して送出する事ができ、また、ＩＰネットワーク３側から受信した符号化音声データをアクセス回線側で使用している符号化音声データに変換して送出する事ができる。このように入力側伝送路から入力した符号化音声データの音声符号化方式を出力側伝送路が使用する音声符号化方式に変換する事で、アクセス回線側とＩＰネットワーク３側で使用している音声符号化方式が異なる場合でも、同様の効果が得られる。
【００６７】
また、アクセス回線種別を表すのにポート番号を用いるのではなく、ＩＰアドレスを用いる事でも、同様の効果が得られる。
また、音声符号化処理部１１および音声復号処理部２４および音声符号化処理部３１は、本発明の音声伝送装置の外に置くことでも良い。
また、ＩＰ／ＵＤＰ／ＲＴＰパケットでは無く、他のパケット方式を使う事でも良い。
【００６８】
実施の形態５．
図１３は本発明の音声伝送装置の適用されるネットワーク機器構成の実施の形態５を示す図である。図１３において、上記実施の形態４と同一もしくは相当部分は同一符号で示し、説明を省略する。
図１３において、８ｄはＩＰネットワーク３とアクセス回線Ｄとの中継を行う音声伝送中継装置、同様に、８ｅはＩＰネットワーク３とアクセス回線Ｅとの中継を行う音声伝送中継装置、８ｆはＩＰネットワーク３とアクセス回線Ｆとの中継を行う音声伝送中継装置である。音声伝送装置１Ａは、アクセス回線Ａまたはアクセス回線Ｂまたはアクセス回線Ｃを介し、且つ、音声伝送中継装置８ａまたは音声伝送中継装置８ｂまたは音声伝送中継装置８ｃを介してＩＰネットワーク３に接続される。
音声伝送装置１Ｂは、アクセス回線Ｄまたはアクセス回線Ｅまたはアクセス回線Ｆを介し、且つ、音声伝送中継装置８ｄまたは音声伝送中継装置８ｅまたは音声伝送中継装置８ｆを介してＩＰネットワーク３に接続される。更に、音声伝送装置１ＡはＩＰネットワーク３に接続されている呼制御サーバ７を介して音声伝送装置１Ｂと呼接続のための呼接続処理を行い、その後、音声ＩＰ通信を行う。
【００６９】
本実施の形態における図１３の送信側音声伝送装置１Ａの構成は、上記図６に示す上記実施の形態３における送信側の音声伝送装置１Ａと同じであり、構成の説明は省略する。
【００７０】
図１３における音声伝送中継装置８ａまたは音声伝送中継装置８ｂまたは音声伝送中継装置８ｃまたは音声伝送中継装置８ｄまたは音声伝送中継装置８ｅまたは音声伝送中継装置８ｆの構成は図９に示す実施の形態４における音声伝送中継装置８ａ〜８ｃと同様であり、その説明を省略する。
【００７１】
図１４は、図１３における音声伝送装置１Ｂの送受信装置の実施の形態５を示す図である。図１４において、図７に示す上記実施の形態３と同一もしくは相当部分は同一符号で示し、説明を省略する。４４はアクセス回線Ｄとのインタフェースを行う回線Ｄインタフェース部、４５はアクセス回線Ｅとのインタフェースを行う回線Ｅインタフェース部、４６はアクセス回線Ｆとのインタフェースを行う回線Ｆインタフェース部、４７はポート番号管理制御部２２ｃからの回線選択情報に基づき入出力する回線インタフェースを選択するセレクタ部、４８は相手端末との呼接続処理を行う呼制御部である。
【００７２】
次に動作について説明する。図６において、音声伝送装置１Ａの回線選択制御部１２は、回線の輻輳状況や電波状況、そのほかの理由により、ＩＰネットワーク３へのアクセス回線としてアクセス回線Ａを選択したとする。回線選択制御部１２は選択したアクセス回線がアクセス回線Ａである事を示す回線選択情報をポート番号管理部１３およびセレクタ１５に伝える。使用するアクセス回線がアクセス回線Ａであることを回線選択制御部１２から回線選択情報にて知らされたポート番号管理部１３ではアクセス回線Ａを使用している事を示すポート番号を選択し、パケット組立部１４および呼制御部１９にそのポート番号情報を通知する。セレクタ１５は、回線選択制御部１２からの回線選択情報に基づき呼制御部１９からの呼制御用パケットを回線Ａインタフェース部１６に出力する。呼制御部１９は回線Ａインタフェース部１６を介して相手端末（音声伝送装置１Ｂ）との呼接続のための情報の授受の中でポート番号管理部１３から通知されたポート番号を相手端末（音声伝送装置１Ｂ）に通知する。
【００７３】
音声符号化処理部１１に入力された電話装置２Ａからの音声信号は音声符号化処理をなされ、符号化音声データとしてパケット組立部１４に出力される。パケット組立部１４では入力された符号化音声データを、ポート番号管理部１３から通知されたポート番号をヘッダに含めてＩＰ／ＵＤＰ／ＲＴＰパケットに組み立ててセレクタ１５に出力する。セレクタ１５は、回線選択制御部１２からの回線選択情報に基づきパケット組立部１４からのＩＰ／ＵＤＰ／ＲＴＰパケットも回線Ａインタフェース部１６に出力する。回線Ａインタフェース部１６はセレクタ１５から入力されたパケットを、アクセス回線Ａを使用して音声伝送中継装置８ａに向かって出力する。
【００７４】
アクセス回線Ｂを使用する場合には、回線選択制御部１２からアクセス回線Ｂを選択した事を示す回線選択情報がポート番号管理部１３およびセレクタ１５に伝えられる。使用するアクセス回線がアクセス回線Ｂであることを回線選択制御部１２から回線選択情報にて知らされたポート番号管理部１３ではアクセス回線Ｂを使用している事を示すポート番号を選択し、パケット組立部１４および呼制御部１９にそのポート番号情報を通知する。セレクタ１５は、回線選択制御部１２からの回線選択情報に基づきパケット組立部１４からのＩＰ／ＵＤＰ／ＲＴＰパケットおよび呼制御部１９からの呼制御用パケットを回線Ｂインタフェース部１７に出力する。呼制御部１９は回線Ｂインタフェース部１７を介して相手端末（音声伝送装置１Ｂ）との呼接続のための情報の授受の中でポート番号管理部１３から通知されたポート番号を相手端末（音声伝送装置１Ｂ）に通知する。
【００７５】
音声符号化処理部１１に入力された電話装置２Ａからの音声信号は音声符号化処理をなされ、符号化音声データとしてパケット組立部１４に出力される。パケット組立部１４では入力された符号化音声データを、ポート番号管理部１３から通知されたポート番号をヘッダに含めてＩＰ／ＵＤＰ／ＲＴＰパケットに組み立ててセレクタ１５に出力する。セレクタ１５は、回線選択制御部１２からの回線選択情報に基づきパケット組立部１４からのＩＰ／ＵＤＰ／ＲＴＰパケットも回線Ｂインタフェース部１７に出力する。回線Ｂインタフェース部１７はセレクタ１５から入力されたパケットを、アクセス回線Ｂを使用して音声伝送中継装置８ｂに向かって出力する。
【００７６】
同様に、アクセス回線Ｃを使用する場合には、回線選択制御部１２からアクセス回線Ｃを選択した事を示す回線選択情報がポート番号管理部１３およびセレクタ１５に伝えられる。使用するアクセス回線がアクセス回線Ｃであることを回線選択制御部１２から回線選択情報にて知らされたポート番号管理部１３ではアクセス回線Ｃを使用している事を示すポート番号を選択し、パケット組立部１４および呼制御部１９にそのポート番号情報を通知する。セレクタ１５は、回線選択制御部１２からの回線選択情報に基づきパケット組立部１４からのＩＰ／ＵＤＰ／ＲＴＰパケットおよび呼制御部１９からの呼制御用パケットを回線Ｃインタフェース部１８に出力する。呼制御部１９は回線Ｃインタフェース部１８を介して相手端末（音声伝送装置１Ｂ）との呼接続のための情報の授受の中でポート番号管理部１３から通知されたポート番号を相手端末（音声伝送装置１Ｂ）に通知する。
【００７７】
音声符号化処理部１１に入力された電話装置２Ａからの音声信号は音声符号化処理をなされ、符号化音声データとしてパケット組立部１４に出力される。パケット組立部１４では入力された符号化音声データを、ポート番号管理部１３から通知されたポート番号をヘッダに含めてＩＰ／ＵＤＰ／ＲＴＰパケットに組み立ててセレクタ１５に出力する。セレクタ１５は、回線選択制御部１２からの回線選択情報に基づきパケット組立部１４からのＩＰ／ＵＤＰ／ＲＴＰパケットも回線Ｃインタフェース部１８に出力する。回線Ｃインタフェース部１８はセレクタ１５から入力されたパケットを、アクセス回線Ｃを使用して音声伝送中継装置８ｃに向かって出力する。
【００７８】
音声伝送中継装置８ａとしての図９における動作を説明する。アクセス回線Ａから受信した呼制御用パケットはアクセス回線インタフェース部４１を介して呼制御中継部３４に入力される。また、ＩＰネットワーク３から受信した呼制御用パケットはネットワークインタフェース部４２を介して呼制御中継部３４に入力される。これらアクセス回線ＡおよびＩＰネットワーク３からの呼制御用パケットを入力した呼制御中継部３４では、アクセス回線Ａ側の音声ＩＰ通信に使用するポート番号情報およびＩＰネットワーク３側の音声ＩＰ通信に使用するポート番号情報をＰポート番号管理制御部２２ａに出力する。
【００７９】
ポート番号管理制御部２２ａでは、入力したポート番号情報により、音声伝送装置１Ａが使用しているアクセス回線の種別および音声伝送装置１Ｂが使用しているアクセス回線の種別を知る事ができる。そこで、ポート番号管理制御部２２ａは、アクセス回線Ａから受信しＩＰネットワーク３およびアクセス回線Ｄまたはアクセス回線Ｅまたはアクセス回線Ｆを介して音声伝送装置１Ｂに向かうＩＰ／ＵＤＰ／ＲＴＰパケットに対しては、使用するアクセス回線種別に応じて最適な揺らぎ吸収バッファサイズ情報およびパケットサイズ情報をそれぞれ揺らぎ吸収バッファ部２３ａおよびパケット組立部３２ａに出力する。
【００８０】
また、ポート番号管理制御部２２ａは、アクセス回線Ｄまたはアクセス回線Ｅまたはアクセス回線Ｆを通過しＩＰネットワーク３から受信しアクセス回線Ａ介して音声伝送装置１Ａに向かうＩＰ／ＵＤＰ／ＲＴＰパケットに対しては、使用するアクセス回線種別に応じて最適な揺らぎ吸収バッファサイズ情報およびパケットサイズ情報をそれぞれ揺らぎ吸収バッファ部２３ｂおよびパケット組立部３２ｂに出力する。アクセス回線Ａから受信した符号化音声データを運ぶＩＰ／ＵＤＰ／ＲＴＰパケットはアクセス回線インタフェース部４１を介してパケット分解部２１ａに入力される。パケット分解部２１ａに入力されたＩＰ／ＵＤＰ／ＲＴＰパケットは分解され、符号化音声データは揺らぎ吸収バッファ部２３ａに出力される。
【００８１】
揺らぎ吸収バッファ部２３ａでは、ポート番号管理制御部２２ａから通知された揺らぎ吸収バッファサイズ情報に基づき、パケット分解部２１ａから入力した音声符号化データの到着遅延揺らぎを吸収しパケット組立部３２ａに出力する。パケット組立部３２ａでは入力された音声符号化データをポート番号管理制御部２２ａから通知されたパケットサイズ情報に基づいてＩＰ／ＵＤＰ／ＲＴＰパケットに組み立ててネットワークインタフェース部４２に出力する。ネットワークインタフェース部４２では呼制御中継部３４から受け取った呼制御用パケットおよびパケット組立部３２ａから受け取った音声のＩＰ／ＵＤＰ／ＲＴＰパケットを相手端末（音声伝送装置１Ｂ）に向かって出力する。
【００８２】
ＩＰネットワーク３から受信した符号化音声データを運ぶＩＰ／ＵＤＰ／ＲＴＰパケットはネットワークインタフェース部４２を介してパケット分解部２１ｂに入力される。ＩＰ／ＵＤＰ／ＲＴＰパケットはパケット分解部２１ｂにて分解され、符号化音声データは揺らぎ吸収バッファ部２３ｂに出力される。揺らぎ吸収バッファ部２３ｂでは、ポート番号管理制御部２２ａから通知された揺らぎ吸収バッファサイズ情報に基づき、パケット分解部２１ｂから入力した音声符号化データの到着遅延揺らぎを吸収しパケット組立部３２ｂに出力する。
【００８３】
パケット組立部３２ｂでは入力された音声符号化データをポート番号管理制御部２２ａから通知されたパケットサイズ情報に基づいてＩＰ／ＵＤＰ／ＲＴＰパケットに組み立ててアクセス回線インタフェース部４１に出力する。アクセス回線インタフェース部４１では呼制御中継部３４から受け取った呼制御用パケットおよびパケット組立部３２ｂから受け取った音声のＩＰ／ＵＤＰ／ＲＴＰパケットを音声伝送装置１Ａに向かって出力する。
【００８４】
音声伝送中継装置８ｄとしての図９における動作を説明する。アクセス回線Ｄから受信した呼制御用パケットはアクセス回線インタフェース部４１を介して呼制御中継部３４に入力される。また、ＩＰネットワーク３から受信した呼制御用パケットはネットワークインタフェース部４２を介して呼制御中継部３４に入力される。これらアクセス回線ＤおよびＩＰネットワーク３の呼制御用パケットを入力した呼制御中継部３４では、アクセス回線Ｄ側の音声ＩＰ通信に使用するポート番号情報およびＩＰネットワーク３側の音声ＩＰ通信に使用するポート番号情報をポート番号管理制御部２２ａに出力する。
【００８５】
ポート番号管理制御部２２ａでは、入力したポート番号情報により、音声伝送装置１Ａが使用しているアクセス回線の種別および音声伝送装置１Ｂが使用しているアクセス回線の種別を知る事ができる。そこで、ポート番号管理制御部２２ａは、アクセス回線Ｄから受信しＩＰネットワーク３およびアクセス回線Ａまたはアクセス回線Ｂまたはアクセス回線Ｃを介して音声伝送装置１Ａに向かうＩＰ／ＵＤＰ／ＲＴＰパケットに対しては、使用するアクセス回線種別に応じて最適な揺らぎ吸収バッファサイズ情報およびパケットサイズ情報をそれぞれ揺らぎ吸収バッファ部２３ａおよびパケット組立部３２ａに出力する。
【００８６】
また、ポート番号管理制御部２２ａは、アクセス回線Ａまたはアクセス回線Ｂまたはアクセス回線Ｃを通過しＩＰネットワーク３から受信しアクセス回線Ｄ介して音声伝送装置１Ｂに向かうＩＰ／ＵＤＰ／ＲＴＰパケットに対しては、使用するアクセス回線種別に応じて最適な揺らぎ吸収バッファサイズ情報およびパケットサイズ情報をそれぞれ揺らぎ吸収バッファ部２３ｂおよびパケット組立部３２ｂに出力する。ＩＰネットワーク３から受信した符号化音声データを運ぶＩＰ／ＵＤＰ／ＲＴＰパケットはネットワークインタフェース部４２を介してパケット分解部２１ｂに入力される。ＩＰ／ＵＤＰ／ＲＴＰパケットはパケット分解部２１ｂにて分解され、符号化音声データは揺らぎ吸収バッファ部２３ｂに出力される。
【００８７】
揺らぎ吸収バッファ部２３ｂでは、ポート番号管理制御部２２ａから通知された揺らぎ吸収バッファサイズ情報に基づき、パケット分解部２１ｂから入力した音声符号化データの到着遅延揺らぎを吸収しパケット組立部３２ｂに出力する。パケット組立部３２ｂでは入力された音声符号化データをポート番号管理制御部２２ａから通知されたパケットサイズ情報に基づいてＩＰ／ＵＤＰ／ＲＴＰパケットに組み立ててアクセス回線インタフェース部４１に出力する。アクセス回線インタフェース部４１では呼制御中継部３４から受け取った呼制御用パケットおよびパケット組立部３２ｂから受け取った音声のＩＰ／ＵＤＰ／ＲＴＰパケットを音声伝送装置１Ｂに向かって出力する。
【００８８】
アクセス回線Ｄから受信した符号化音声データを運ぶＩＰ／ＵＤＰ／ＲＴＰパケットはアクセス回線インタフェース部４１を介してパケット分解部２１ａに入力される。パケット分解部２１ａに入力されたＩＰ／ＵＤＰ／ＲＴＰパケットは分解され、符号化音声データは揺らぎ吸収バッファ部２３ａに出力される。揺らぎ吸収バッファ部２３ａでは、ポート番号管理制御部２２ａから通知された揺らぎ吸収バッファサイズ情報に基づき、パケット分解部２１ａから入力した音声符号化データの到着遅延揺らぎを吸収しパケット組立部３２ａに出力する。パケット組立部３２ａでは入力された音声符号化データをポート番号管理制御部２２ａから通知されたパケットサイズ情報に基づいてＩＰ／ＵＤＰ／ＲＴＰパケットに組み立ててネットワークインタフェース部４２に出力する。ネットワークインタフェース部４２では呼制御中継部３４から受け取った呼制御用パケットおよびパケット組立部３２ａから受け取った音声のＩＰ／ＵＤＰ／ＲＴＰパケットを相手端末（音声伝送装置１Ａ）に向かって出力する。
【００８９】
次に、音声伝送装置１Ｂの送受信装置の動作について説明する。
図１４において、アクセス回線Ｄまたはアクセス回線Ｅまたはアクセス回線Ｆから受信した呼制御用パケットは呼制御部４８に入力される。呼制御処理部４８では呼制御処理を行うと共に、音声ＩＰ通信に使用するポート番号情報およびどの回線インタフェースにて音声ＩＰ通信が行われるかの情報をポート番号管理制御部２２ｃに通知する。
【００９０】
これらの情報を入手したポート番号管理制御部２２ｃは、音声伝送装置１Ａからの符号化音声データを運ぶＩＰ／ＵＤＰ／ＲＴＰパケットがどのアクセス回線を通じて音声伝送装置１Ｂに届くのか、例えば、アクセス回線Ａおよびアクセス回線Ｄを通じて音声伝送装置１Ｂに届くかを知ると共に、音声伝送装置１Ｂからの符号化音声データを運ぶＩＰ／ＵＤＰ／ＲＴＰパケットがどのアクセス回線を通じて音声伝送装置１Ａに届くのか、例えば、アクセス回線Ｄおよびアクセス回線Ａを通じて音声伝送装置１Ａに届くかを知る。これによって、ポート番号管理制御部２２ｃは音声伝送装置１Ｂでの最適な揺らぎ吸収バッファサイズおよび音声伝送装置１Ｂから出力する最適なＩＰ／ＵＤＰ／ＲＴＰパケットサイズを導き出す事ができ、これらの情報は揺らぎ吸収バッファ部２３およびパケット組立部３２に通知される。
【００９１】
また、ポート番号管理制御部２２ｃでは使用する回線インタフェースに応じてセレクタ４７にどの回線インタフェース部を選択するかの指示を出す。回線Ｄインタフェース部４４または回線Ｅインタフェース部４５または回線Ｆインタフェース部４６およびセレクタ４７を介してアクセス回線側から受信したＩＰ／ＵＤＰ／ＲＴＰパケットはパケット分解部２１にて分解され、符号化音声データは揺らぎ吸収バッファ部２３に出力される。揺らぎ吸収バッファ部２３では、ポート番号管理制御部２２ｃからの揺らぎ吸収バッファサイズ情報に基づき、パケット分解部２１から入力した音声符号化データの到着遅延揺らぎを吸収し、揺らぎの無い音声符号化データを音声復号処理部２４に出力する。音声復号処理部２４では入力された音声符号化データの復号処理を行い、音声信号を出力する。
【００９２】
音声符号化処理部３１に入力された電話装置２Ｂからの音声信号は音声符号化処理をなされ、符号化音声データとしてパケット組立部３２に出力される。パケット組立部３２ではポート番号管理制御部２２ｃからのパケットサイズ情報に基づき、入力された符号化音声データをＩＰ／ＵＤＰ／ＲＴＰパケットに組み立てて、セレクタ４７および回線Ｄインタフェース部４４または回線Ｅインタフェース部４５または回線Ｆインタフェース部４６を介して相手端末（音声伝送装置１Ａ）に向かって出力する。相手端末（音声伝送装置１Ａ）に送出する呼制御用パケットは呼制御部４８よりセレクタ４７および回線Ｄインタフェース部４４または回線Ｅインタフェース部４５または回線Ｆインタフェース部４６を介して使用しているアクセス回線に出力される。
【００９３】
以上のように、本実施の形態によれば、使用するアクセス回線に応じたポート番号をヘッダに含めてＩＰ／ＵＤＰ／ＲＴＰパケットを組み立てて送出する事を呼接続処理にて中継装置に通知し、通知を受けた中継装置では通知されたポート番号により揺らぎ吸収バッファサイズおよび送出するパケットサイズを決定する事で、使用するアクセス回線に応じた適切な揺らぎ吸収バッファサイズおよび送出パケットサイズを設定でき、高品質な音声通話を実現できる。
【００９４】
また、アクセス回線Ａまたはアクセス回線Ｂまたはアクセス回線Ｃ上とＩＰネットワーク３上およびアクセス回線Ｄまたはアクセス回線Ｅまたはアクセス回線Ｆ上にて使用する音声符号化方式が異なる場合もある。その場合には、図１２に示すように、音声符号化方式の変換を行う符号変換部４３ａおよび４３ｂを新たに設ける事で、受信側の伝送路、即ちアクセス回線側から受信した符号化音声データを送信側の伝送路、即ちＩＰネットワーク側で使用している符号化音声データに変換して送出する事ができ、また、逆に受信側の伝送路、即ちＩＰネットワーク回線側から受信した符号化音声データを送信側の伝送路、即ちアクセス回線側で使用している符号化音声データに変換して送出する事ができる。このようにする事で、アクセス回線側とＩＰネットワーク側で使用している音声符号化方式が異なる場合でも、同様の効果が得られる。
【００９５】
また、アクセス回線種別を表すのにポート番号を用いるのではなく、ＩＰアドレスを用いる事でも、同様の効果が得られる。
また、音声符号化処理部１１および音声復号処理部２４および音声符号化処理部３１は、本発明の音声伝送装置の外に置くことでも良い。
また、ＩＰ／ＵＤＰ／ＲＴＰパケットでは無く、他のパケット方式を使う事でも良い。
【産業上の利用可能性】
【００９６】
本発明の音声伝送装置または音声伝送中継装置はインターネットに接続された異なる伝送方式を使用する音声データの通信、例えば遠隔監視システムなどに利用される。
【図面の簡単な説明】
【００９７】
【図１】本発明の実施の形態１による音声伝送装置が適用されるネットワーク機器の構成図である。
【図２】本発明の実施の形態１による音声伝送装置の送信側装置の構成図である。
【図３】本発明の実施の形態１による音声伝送装置の受信側装置の構成図である。
【図４】本発明の実施の形態２による音声伝送装置の受信側の送受信装置の構成図である。
【図５】本発明の実施の形態３による音声伝送装置が適用されるネットワーク機器の構成図である。
【図６】本発明の実施の形態３による音声伝送装置の送信側装置の構成図である。
【図７】本発明の実施の形態３による音声伝送装置の受信側の送受信装置の構成図である。
【図８】本発明の実施の形態４による音声伝送装置が適用されるネットワーク機器の構成図である。
【図９】本発明の実施の形態４による音声伝送中継装置の一実施の形態を示す構成図である。
【図１０】本発明の実施の形態４による音声伝送装置の受信側の送受信装置の構成図である。
【図１１】本発明の実施の形態４による音声伝送中継装置の他の実施の形態を示す構成図である。
【図１２】本発明の実施の形態４による音声伝送中継装置の更に他の実施の形態を示す構成図である。
【図１３】本発明の実施の形態５による音声伝送装置が適用されるネットワーク機器の構成図である。
【図１４】本発明の実施の形態５による音声伝送装置の受信側の送受信装置の構成図である。
【符号の説明】
【００９８】
１Ａ、１Ｂ；音声伝送装置、２Ａ、２Ｂ；電話装置、３；ＩＰネットワーク、７；呼制御サーバ、８ａ、８ｂ、８ｃ、８ｄ、８え、８ｆ；音声伝送中継装置、１１、３１；音声符号化処理部、１２；回線選択制御部、１３；ポート番号管理部、１４、３２、３２ａ、３２ｂ；パケット組立部、１５；セレクタ部、１６；回線Ａインタフェース部、１７；回線Ｂインタフェース部、１８；回線Ｃインタフェース部、１９、３３、３５；呼制御部、２１、２１ａ、２１ｂ；パケット分解部、２２、２２ａ、２２ｂ；ポート番号管理制御部、２３、２３ａ、２３ｂ；揺らぎ吸収バッファ部、２４；音声復号処理部、２５；ネットワークインタフェース部、３４，３４ａ；呼制御中継部、４１；アクセス回線インタフェース部、４２；ネットワークインタフェース部、４３ａ、４３ｂ；符号変換部。
【図１】
0004964162.tif 000002
【図２】
0004964162.tif 000003
【図３】
0004964162.tif 000004
【図４】
0004964162.tif 000005
【図５】
0004964162.tif 000006
【図６】
0004964162.tif 000007
【図７】
0004964162.tif 000008
【図８】
0004964162.tif 000009
【図９】
0004964162.tif 000010
【図１０】
0004964162.tif 000011
【図１１】
0004964162.tif 000012
【図１２】
0004964162.tif 000013
【図１３】
0004964162.tif 000014
【図１４】
0004964162.tif 000015